(57)【要約】【課題】キャップ本体を螺脱方向へ回転したときに、キャップ本体と封緘リングとを接続する薄肉脆弱接続帯が完全に切断されやすく、充填工程でキャッピング性が良好で、樹脂量の削減が可能な封緘リング付キャップを提供する。【解決手段】キャップ本体１００  の周壁の下端に、複数個の薄肉脆弱接続帯１０１  を介して封緘リング２００  が接続し、封緘リングの内周面に、複数個の係止フラップ２３０  が突設する封緘リング付キャップであり、係止フラップが、封緘リングの内周面に突設する複数個の根元部２１０  に薄肉折曲部２２０  を介して接続し、先端の垂直な係止面２３１  の上端に、上面の延長線に対して鋭角に上方へ固定板２４０  を突設し、固定板の先端が、ボトルの口頸部に螺着され係止フラップが薄肉折曲部から上方へ折り曲げられて係止したときに、封緘リングの内周面に圧接する。【選択図】図１
2004268963.tif 000002
【特許請求の範囲】
【請求項１】
キャップ本体の周壁の下端に、複数個の薄肉脆弱接続帯を介して、封緘リングが接続し、該封緘リングの内周面に、複数個の係止フラップが中心方向へ突設する封緘リング付キャップにおいて、前記係止フラップが、前記封緘リングの内周面に突設する複数個の根元部に薄肉折曲部を介して接続し、先端の垂直な係止面の上端に、上面の延長線に対して鋭角に上方へ固定板を突設し、かつ、前記固定板の先端が、ボトルの口頸部に螺着され係止フラップが前記薄肉折曲部から上方へ折り曲げられて前記ボトルの口頸部に係止したときに、封緘リングの内周面に圧接することを特徴とする封緘リング付キャップ。
【発明の詳細な説明】
【０００１】
【発明の属する技術分野】
本発明は、飲料などの液体内容物を充填したプラスチックボトルの口頸部に螺合して装着する封緘リング付キャップに関するものである。
【０００２】
【従来の技術】
従来、飲料などの液体内容物を充填した例えばＰＥＴボトル（ポリエチレンテレフタレートを二軸延伸ブロー成形したボトル）などのプラスチックボトルの口頸部には、使用するまでのバージン性を確保するために、図２に示すキャップ本体（１００）の周壁（１２０）の下端に、複数個の薄肉脆弱接続帯（１０１）で封緘リング（２００）を接続する封緘リング付キャップが螺着されていた。この封緘リング付キャップを口頸部に螺着したボトルは、内容物を使用するため開封するときには、キャップ本体を螺脱方向へ強く回転させて、キャップ本体の下端の封緘リングを接続する複数個の薄肉脆弱接続帯を切断して、ボトルの口頸部からキャップ本体を螺脱して開封していた。
【０００３】
封緘リングの構造は、例えば図３（ａ）に示すように、封緘リング（２００）の下方内周面に、周方向へ複数個の根元部（２１０）を突設し、この根元部に薄肉折曲部（２２０）を介して、係止フラップ（２３０）をほぼ水平に中心方向へ接続し、係止フラップの先端にほぼ垂直な係止面（２３１）を形成し、この係止面の上端に、上面の延長線上にガイド板（２５０）を突設したものであり、図３（ｂ）に示すように、ボトル（２０）の口頸部（２１）に封緘リング付キャップが螺着されたときに、ガイド板（２５０）の先端がボトルの口頸部に設けられたガイド係止リング（２２）の下方開きに傾斜するガイド外周面（２２ａ）に接触して、係止フラップ（２３０）が薄肉折曲部（２２０）を支線として折れ曲がり、ガイド係止リングの下周面の係止面（２２ｂ）に係止フラップの先端の係止面（２３１）が押圧されながら安定した位置に係止し、封緘リング（２００）がボトルの口頸部に固定されるものであった（例えば、特許文献１参照）。
【０００４】
【特許文献１】
特開平１０−３２４３５３号公報
【０００５】
【発明が解決しようとする課題】
しかしながら、上述の従来の封緘リング付キャップを口頸部に螺着したボトルを開封するときに、キャップの封緘リングの内周面の根元部と係止フラップを接続する薄肉折曲部付近の剛性力が弱い場合、係止フラップが薄厚で剛性力が弱い場合、または、キャップの係止フラップの係止面の下端やボトルのガイド係止リングの係止面の外周端のエッジが出ていない場合には、キャップの係止フラップの係止面とボトルのガイド係止リングの係止面との係止力が弱く、キャップの封緘リングのボトルの口頸部との固定力が弱くなって、キャップ本体を螺脱方向へ回転したときに、キャップ本体と封緘リングとを接続する薄肉脆弱接続帯が切断されずに、キャップ本体と一緒に封緘リングも回転してしまうことがあった。なお、薄肉折曲部付近の剛性力を強くし過ぎると、充填工程においてキャップをボトルの口頸部に螺着するときに、強い締めトルクが必要となり、キャッピングの作業性が著しく悪くなった。
【０００６】
本発明は、上述の従来の封緘リング付キャップの問題を解決したものであり、ボトルの口頸部に螺着された封緘リング付キャップのキャップ本体を螺脱方向へ回転したときに、キャップ本体と封緘リングとを接続する薄肉脆弱接続帯が完全に切断されやすく、充填工程におけるキャッピング性が良好で、また、使用樹脂量の削減が可能な封緘リング付キャップを提供するものである。
【０００７】
【課題を解決するための手段】
すなわち、本発明は、キャップ本体の周壁の下端に、複数個の薄肉脆弱接続帯を介して、封緘リングが接続し、この封緘リングの内周面に、複数個の係止フラップが中心方向へ突設する封緘リング付キャップにおいて、前記係止フラップが、前記封緘リングの内周面に突設する複数個の根元部に薄肉折曲部を介して接続し、先端の垂直な係止面の上端に、上面の延長線に対して鋭角に上方へ固定板を突設し、かつ、前記固定板の先端が、ボトルの口頸部に螺着され係止フラップが前記薄肉折曲部から上方へ折り曲げられて前記ボトルの口頸部に係止したときに、封緘リングの内周面に圧接することを特徴とする封緘リング付キャップである。
【０００８】
【発明の実施の形態】
次に、本発明の封緘リング付キャップを一実施形態に基づいて、図を用いてに詳細に説明する。
本実施形態の封緘リング付キャップ（１０）は、図２に示すように、キャップ本体（１００）の周壁（１２０）の下端に、内周面に係止フラップを有する封緘リング（２００）を薄肉脆弱接続帯（１０１）を介して接続するキャップであり、口頸部の外周面に雄ネジとその雄ネジの下方に、図１（ｂ）に示すガイド係止リング（２２）をもつプラスチックボトル（２０）に螺着して使用するものである。なお、本実施形態の封緘リング付キャップは、低密度ポリエチレンなどの薄肉脆弱接続帯が指で切断可能な熱可塑性樹脂を用いて、射出成形法により作製されるものである。
【０００９】
本実施形態の封緘リング付キャップの封緘リングの構造は、図１（ａ）に示すように、封緘リング（２００）の下方内周面の周方向に等間隔に突設する複数個の根元部（２１０）に、係止フラップ（２３０）を薄肉折曲部（２２０）を介して接続するものである。係止フラップは、先端にボトルの口頸部に係止する垂直な係止面（２３１）をもち、この係止面の上端に、係止フラップの上面の延長線に対して鋭角な角度をもつ固定板（２４０）を上方へ突設するものである。そして、この固定板（２４０）は、図１（ｂ）に示すように、ボトル（２０）の口頸部（２１）に螺着され係止フラップ（２３０）が薄肉折曲部（２２０）から上方へ折り曲げられてボトルの口頸部のガイド係止リング（２２）に係止したときに、先端が、封緘リング（２００）の内周面に圧接するように、角度及び長さを定めて設けるものである。
【００１０】
本実施形態の封緘リング付キャップは、ボトルの口頸部に螺着されるときに、係止フラップの下面が、図１（ｂ）に示すボトル（２０）の口頸部（２１）に設けられたガイド係止リング（２２）の下方開きに傾斜するガイド外周面（２２ａ）に接触して、図１（ｂ）に示すように、係止フラップ（２３０）が薄肉折曲部（２２０）を支線として折れ曲がり、ガイド係止リングの下周面の係止面（２２ｂ）に係止フラップの先端の係止面（２３１）が係止すると同時に、固定板（２４０）の先端が、封緘リング（２００）の内周面に圧接するため、固定板と係止フラップと薄肉折曲部付近の総合した剛性による押圧によって、係止フラップの係止面がガイド係止リングの係止面にしっかり安定して係止する。このため、封緘リングがボトルの口頸部にしっかり固定され、キャップ本体を螺脱方向へ回転したときに、キャップ本体の周壁下端と封緘リングの上端と接続する複数個の薄肉脆弱接続帯が完全に切断される。また、従来の封緘リング付キャップのように、係止フラップの厚みを厚くして剛性を強くする必要がなくなり、使用樹脂量の削減が可能となる。また、薄肉折曲部付近の剛性も強くする必要がなくなるので、充填工程におけるキャップのキャッピングの作業がし易くなり、作業性が向上する。
【００１１】
【発明の効果】
本発明の封緘リング付キャッピングは、封緘リングの内側に突設する係止フラップの先端の係止面の上端に固定板が上方へ突設され、この固定板の作用効果によって、ボトルの口頸部に螺着されたときに、固定板と係止フラップと薄肉折曲部付近の総合した剛性による押圧によって、封緘リングがしっかりとボトルの口頸部に固定されおり、ボトルを開封するときに、キャップ本体を螺脱方向へ回転すると、キャップ本体と封緘リングとを接続する薄肉脆弱接続帯が完全に切断される。
【００１２】
また、本発明の封緘リング付キャッピングは、充填工程におけるキャッピング性が良好であり、また、キャップの使用樹脂量の削減も計れる。
【図面の簡単な説明】
【図１】（ａ）は、本発明の一実施形態の封緘リング付キャップの封緘リングの構造を示す断面図であり、（ｂ）は、ボトルの口頸部に螺着したときの封緘リングの状態を示す断面図である。
【図２】一例の封緘リング付キャップを、ボトルの口頸部に螺着したときの正面図である。
【図３】（ａ）は、従来の一例の封緘リング付キャップの封緘リングの構造を示す断面図であり、（ｂ）は、ボトルの口頸部に螺着したときの封緘リングの状態を示す断面図である。
【符号の説明】
１０……キャップ
２０……ボトル
２１……口頸部
２２……ガイド係止リング
２２ａ……ガイド外周面
２２ｂ，２３１……係止面
１００……キャップ本体
１０１……薄肉脆弱接続帯
１１０……天板
１２０……周壁
２００……封緘リング
２１０……根元部
２２０……薄肉折曲部
２３０……係止フラップ
２４０……固定板
２５０……ガイド板
【図１】
2004268963.tif 000003
【図２】
2004268963.tif 000004
【図３】
2004268963.tif 000005